【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
内視鏡の先端部に、光源から出射された光を発散させる複数の照明光学系と、観察光学系とを有し、
前記複数の照明光学系のうち少なくとも１つの照明光学系が、次の条件式（１）を満足することを特徴とする内視鏡先端部光学系。
０  ≦  −ｄｆ（θ）／ｄθ  ＜  ０．０２５，  １０°≦  θ  ≦  ８５°
・・・（１）
但し、θは当該照明光学系の中心から射出角、ｆ（θ）は当該照明光学系を基準として球面物体を照らしたときの照度を示す関数であって射出角が０°のときの照度を１とする関数ｆ（ｘ）を用いた、当該照明光学系の射出角θの範囲での照度分布（球面配光分布）である。
【請求項２】
前記条件式（１）を満足する照明光学系が、次の条件式（２）を満足することを特徴とする請求項１に記載の内視鏡先端部光学系。
０  ≦  −ｄｆ（θ）／ｄθ  ≦  ０．０２，    ６５°≦  θ  ≦  ８０°
・・・（２）
但し、θは当該照明光学系の中心からの射出角、ｆ（θ）は当該照明光学系を基準として球面物体を照らしたときの照度を示す関数であって射出角が０°のときの照度を１とする関数ｆ（ｘ）を用いた、当該照明光学系の射出角θの範囲での照度分布（球面配光分布）である。  
【請求項３】
３つの照明光学系を有し、
前記３つの照明光学系は、前記観察光学系の最も物体側のレンズの中心が、該３つの照明光学系の夫々における最も物体側のレンズの中心同士を結んでできる範囲の中に位置するように配置され、かつ、
前記観察光学系の最も物体側のレンズの中心を基準として、１つの照明光学系における最も物体側のレンズの中心とを結ぶ直線の方向を０°としたときの他の２つの照明光学系における最も物体側のレンズの中心とを結ぶ直線の方向の角度をφ１，φ２としたとき、次の式（３）、（４）
９５°≦  φ１  ≦  １４５°                        ・・・（３）
２１５°≦  φ２  ≦  ２６５°                        ・・・（４）
を満足し、
さらに、前記観察光学系の最も物体側のレンズの中心から夫々の照明光学系の最も物体側のレンズの中心までの距離をｒとしたとき、次の条件式（５）を満足することを特徴とする請求項１又は２に記載の内視鏡先端部光学系。
１．３  ≦  ｒ／ｄ  ≦  ３                          ・・・（５）
但し、ｄは前記観察光学系における最も物体側のレンズの外径である。
【請求項４】
内視鏡先端面が、前記観察光学系を頂点とした砲弾形状に形成され、
前記複数の照明光学系のうち少なくとも２つの照明光学系が、前記観察光学系の光軸に対し射出面を外側に向けて配置され、
前記観察光学系と前記射出面を外側に向けて配置された照明光学系との光軸のなす角をεとしたとき、次の条件式（６）を満足することを特徴とする請求項１〜３のいずれかに記載の内視鏡先端部光学系。
５°≦  ε  ≦  ２０°                          ・・・（６）
【請求項５】
３つの照明光学系を有し、該３つの照明光学系のいずれもが、次の条件式（１）、（２）を満足することを特徴とする請求項４に記載の内視鏡先端部光学系。
０  ≦  −ｄｆ（θ）／ｄθ  ＜  ０．０２５，  １０°≦  θ  ≦  ８５°
・・・（１）
０  ≦  −ｄｆ（θ）／ｄθ  ≦  ０．０２，    ６５°≦  θ  ≦  ８０°
・・・（２）
但し、θは当該照明光学系の中心からの射出角、ｆ（θ）は当該照明光学系を基準として球面物体を照らしたときの照度を示す関数であって射出角が０°のときの照度を１とする関数ｆ（ｘ）を用いた、当該照明光学系の射出角θの範囲での照度分布（球面配光分布）である。
【請求項６】
前記条件式（１）を満足する照明光学系、又は前記条件式（１）及び（２）を満足する照明光学系が、次の条件式（７）を満足することを特徴とする請求項１又は２に記載の内視鏡先端部光学系。
０．０５  ≦  ｆ（８０°）  ≦  ０．１５                    ・・・（７）
但し、ｆ（８０°）は当該照明光学系を基準として球面物体を照らしたときの照度を示す関数であって射出角θが０°のときの照度を１とする関数ｆ（ｘ）を用いた、当該照明光学系の射出角θが８０°のときの照度である。
【請求項７】
前記条件式（７）を満足する照明光学系は、少なくとも１面以上が砂目状の面で構成されていることを特徴とする請求項６に記載の内視鏡先端部光学系。
【請求項８】
前記条件式（７）を満足する照明光学系は、前記砂目状の面を鏡面で置き換えた場合の球面配光分布ｆ（θ）が次の条件式（８）
−ｄｆ（θ）／ｄθ  ≦  ０．０１５，    ０°≦  θ  ≦  ４０°  ・・・（８）
を満足し、
且つ、射出角θが６０°〜７０°の間で、次の条件式（９）
ｆ（θ）＝  ０．０２                                ・・・（９）
を満足するθが存在することを特徴とする請求項７に記載の内視鏡先端部光学系。
【請求項９】
前記条件式（７）を満足する照明光学系は、正のパワーを持ち、かつ砂目状の面を備えた非球面形状の凸面を有する平凸レンズ１枚で構成されていることを特徴とする請求項７又は８に記載の内視鏡先端部光学系。
【手続補正２】
【補正対象書類名】明細書
【補正対象項目名】００２２
【補正方法】変更
【補正の内容】
【００２２】
また、本発明の内視鏡先端部光学系においては、３つの照明光学系を有し、前記３つの照明光学系は、前記観察光学系の最も物体側のレンズの中心が、該３つの照明光学系の夫々における最も物体側のレンズの中心同士を結んでできる範囲の中に位置するように配置され、かつ、前記観察光学系の最も物体側のレンズの中心を基準として、１つの照明光学系における最も物体側のレンズの中心とを結ぶ直線の方向を０°としたときの他の２つの照明光学系における最も物体側のレンズの中心とを結ぶ直線の方向の角度をφ１，φ２としたとき、次の式（３）、（４）
９５°≦  φ１  ≦  １４５°                        ・・・（３）
２１５°≦  φ２  ≦  ２６５°                        ・・・（４）
を満足し、
さらに、前記観察光学系の最も物体側のレンズの中心から夫々の照明光学系の最も物体側のレンズの中心までの距離をｒとしたとき、次の条件式（５）を満足するのが好ましい。
１．３  ≦  ｒ／ｄ  ≦  ３                          ・・・（５）
但し、ｄは前記観察光学系における最も物体側のレンズの外径である。
【手続補正３】
【補正対象書類名】明細書
【補正対象項目名】００３４
【補正方法】変更
【補正の内容】
【００３４】
さらに、本発明の内視鏡先端部光学系は、望ましくは、３つの照明光学系を有し、前記３つの照明光学系は、前記観察光学系の最も物体側のレンズの中心が、該３つの照明光学系の夫々における最も物体側のレンズの中心同士を結んでできる範囲の中に位置するように配置され、かつ、前記観察光学系の最も物体側のレンズの中心を基準として、１つの照明光学系における最も物体側のレンズの中心とを結ぶ直線の方向を０°としたときの他の２つの照明光学系における最も物体側のレンズの中心とを結ぶ直線の方向の角度をφ１，φ２としたとき、次の式（３）、（４）
９５°≦  φ１  ≦  １４５°                        ・・・（３）
２１５°≦  φ２  ≦  ２６５°                        ・・・（４）
を満足し、
さらに、前記観察光学系の最も物体側のレンズの中心から夫々の照明光学系の最も物体側のレンズの中心までの距離ｒが、次の条件式（５）を満足すると尚良い。
１．３  ≦  ｒ／ｄ  ≦  ３                          ・・・（５）
但し、ｄは前記観察光学系における最も物体側のレンズの外径である。